(57)【要約】【課題】ブロッキングフィルタを電力量計に組み込むことで、別途ブロッキングフィルタを設置するための新たなスペース・工事を不要とし、かつ電力線を伝送路とする通信信号を送受信する通信装置を接続することができる電力量計を提供することにある。【解決手段】電力線を伝送路とする通信信号を遮断するブロッキングフィルタ部１２を有する電力量を計測する電力量計１０であって、電力量計１０に電力量を計測・表示する電力量計部１１、ブロッキングフィルタ部１２、電源側電力線１５を接続する端子１３、及び負荷側電力線１６を接続する端子１４とを具備し、電源側電力線１５を接続する端子１３とブロッキングフィルタ部１２とが接続され、ブロッキングフィルタ部１２と電力量計部１１および負荷側電力線１６を接続する端子１４とが接続される。【選択図】図１
2009033880.tif 000002
【特許請求の範囲】
【請求項１】
電力線を伝送路とする通信信号を遮断するブロッキングフィルタ部を有する電力量を計測する電力量計であって、
電力量計に電力量を計測・表示する電力量計部、ブロッキングフィルタ部、電源側電力線を接続する端子、及び負荷側電力線を接続する端子とを具備し、前記電源側電力線を接続する端子とブロッキングフィルタ部とが接続され、前記ブロッキングフィルタ部と電力量計部および負荷側電力線を接続する端子とが接続されることを特徴とする電力量計。
【請求項２】
電力線を伝送路とする通信信号を遮断するブロッキングフィルタ部を有する電力量を計測する電力量計であって、
電力量計に電力量を計測・表示する電力量計部、電源側電力線を接続する端子、および負荷側電力線を接続する端子とを具備した電力量計と、更に前記電力量計の電源側端子もしくは負荷側端子に接続する端子、電源側もしくは負荷側電力線を接続する端子、及びブロッキングフィルタとから構成されるブロッキングフィルタ部と、端子およびブロッキングフィルタ部を覆う端子カバーとを具備することを特徴とする電力量計。
【請求項３】
電源側電力線を接続する端子と負荷側電力線を接続する端子の両方またはいずれかに、前記電力線を伝送路とする通信信号を送受信するために通信装置から取り出した通信用電力線を接続することを特徴とする請求項１又は２記載の電力量計。
【請求項４】
通信部と通信端子とを具備し、前記電力量計部と前記通信部とが接続され前記通信部と前記通信端子とが接続され、前記通信端子により前記電力量計と外部との情報の伝送を行うことを特徴とする請求項１又は２記載の電力量計。
【請求項５】
前記通信端子に電力量計の通信装置の有する前記通信信号を送受信するために通信装置から取り出した通信用電力線以外の通信線を接続することで前記通信装置と前記電力量計部とで情報を伝送し、前記通信装置で前記電力線を伝送路とする通信信号で他の通信装置へ伝送することを特徴とする請求項４記載の電力量計。
【請求項６】
前記情報が、前記電力量計部の有する計量データと計測した電流と計測した電圧と検出した停電情報またはいずれかであることを特徴とする請求項４又は５記載の電力量計。
【請求項７】
通信部と第１の通信端子と第２の通信端子を具備し、前記通信部は前記電力量計と接続され、前記通信部と前記第１の通信端子とが接続され、前記通信部と前記第２の通信端子が接続され、前記通信部は前記電力量計と外部との情報の伝送もしくは前記第１の通信端子と前記第２の通信端子との情報の転送を行うことを特徴とする請求項１又は２記載の電力量計。
【請求項８】
電源側電力線を接続する端子と負荷側電力線を接続する端子の両方またはいずれかに、前記電力線を伝送路とする通信信号を送受信する通信装置から取り出した通信用電力線を接続することを特徴とする請求項７記載の電力量計。
【請求項９】
前記情報を電力量計の通信装置と前記電力量計もしくは前記第１の通信端子に接続された通信装置と前記第２の通信端子に接続された通信装置間で情報を伝送することを特徴とする請求項８記載の電力量計。
【請求項１０】
前記情報が、前記電力量計部の有する計量データと計測した電流と計測した電圧と検出した停電情報あるいは第１の通信端子と第２の通信端子の間で伝送される不特定のデータまたはいずれかであることを特徴とする請求項９記載の電力量計。
【発明の詳細な説明】
【技術分野】
【０００１】
本発明は、通信線路として電力線を利用して通信を行う電力線通信システムにおいて、電力線通信の信号をアクセス系と宅内系に分離することが可能となるブロッキングフィルタ等の通信信号の遮断機能を有する電力量計に関する。
【背景技術】
【０００２】
住宅内と住宅外で同一周波数帯を使用する電力線通信が利用される場合には、通信に使用する信号が混在することになり、通信速度が低下したり通信が阻害されたりする。また、低圧配電線は１つの変圧器から複数の需要家へ電力を供給していることから、宅内での通信信号が同一変圧器配下の他の場所へ漏洩することになるが、信号には使用者の個人情報等が含まれており、セキュリティ的に好ましくない。これらの問題を回避するためには、電力線の途中で信号を遮断する必要があり、そのための手段としては、住宅への電力線引込口付近、例えば、住宅の分電盤や電力量計付近（メータボックス等）にブロッキングフィルタを設置することが一般的である（特許文献１、２参照）。
【特許文献１】特開２００３−２７３７８３号公報
【特許文献２】特開２００１−９４４８３号公報
【発明の開示】
【発明が解決しようとする課題】
【０００３】
従来の技術では、ブロッキングフィルタを新たに設置する必要があるが、住宅の分電盤やメータボックス等の電力量計付近に十分なスペースがない場合には、ブロッキングフィルタを設置することができない。また、ブロッキングフィルタを新たに設置する場合は、設置場所は住宅の分電盤の１次側もしくは電力取引用の計器の１次側もしくは２次側としなければならず、一般に十分な空きスペースがない場合も多い。また、住宅に電力を供給している線路への取り付けとなるため、停電なしに設置する場合などは非常に工事が煩雑となり、コストがかかるという課題があった。
【０００４】
本発明は、ブロッキングフィルタを電力量計に組み込むことで、別途ブロッキングフィルタを設置するための新たなスペース・工事を不要とし、かつ電力線を伝送路とする通信信号を送受信する通信装置を接続することができる電力量計を提供することにある。
【課題を解決するための手段】
【０００５】
請求項１の発明は、電力線を伝送路とする通信信号を遮断するブロッキングフィルタ部を有する電力量を計測する電力量計であって、電力量計に電力量を計測・表示する電力量計部、ブロッキングフィルタ部、電源側電力線を接続する端子、及び負荷側電力線を接続する端子とを具備し、前記電源側電力線を接続する端子とブロッキングフィルタ部とが接続され、前記ブロッキングフィルタ部と電力量計部および負荷側電力線を接続する端子とが接続されることを特徴とする。
【０００６】
請求項２の発明は、電力線を伝送路とする通信信号を遮断するブロッキングフィルタ部を有する電力量を計測する電力量計であって、電力量計に電力量を計測・表示する電力量計部、電源側電力線を接続する端子、および負荷側電力線を接続する端子とを具備した電力量計と、更に前記電力量計の電源側端子もしくは負荷側端子に接続する端子、電源側もしくは負荷側電力線を接続する端子、及びブロッキングフィルタとから構成されるブロッキングフィルタ部と、端子およびブロッキングフィルタ部を覆う端子カバーとを具備することを特徴とする。
【０００７】
請求項３の発明は、請求項１又は２において、電源側電力線を接続する端子と負荷側電力線を接続する端子の両方またはいずれかに、前記電力線を伝送路とする通信信号を送受信するために通信装置から取り出した通信用電力線を接続することを特徴とする。
【０００８】
請求項４の発明は、請求項１又は２において、通信部と通信端子とを具備し、前記電力量計部と前記通信部とが接続され前記通信部と前記通信端子とが接続され、前記通信端子により前記電力量計と外部との情報の伝送を行うことを特徴とする。
【０００９】
請求項５の発明は、前記通信端子に請求項３記載の電力量計の通信装置の有する前記通信信号を送受信するために通信装置から取り出した通信用電力線以外の通信線を接続することで前記通信装置と前記電力量計部とで情報を伝送し、前記通信装置で前記電力線を伝送路とする通信信号で他の通信装置へ伝送することを特徴とする。
【００１０】
請求項６の発明は、請求項４又は５において、前記情報が、前記電力量計部の有する計量データと計測した電流と計測した電圧と検出した停電情報またはいずれかであることを特徴とする。
【００１１】
請求項７の発明は、請求項１又は２において、通信部と第１の通信端子と第２の通信端子を具備し、前記通信部は前記電力量計と接続され、前記通信部と前記第１の通信端子とが接続され、前記通信部と前記第２の通信端子が接続され、前記通信部は前記電力量計と外部との情報の伝送もしくは前記第１の通信端子と前記第２の通信端子との情報の転送を行うことを特徴とする。
【００１２】
請求項８の発明は、請求項７において、電源側電力線を接続する端子と負荷側電力線を接続する端子の両方またはいずれかに、前記電力線を伝送路とする通信信号を送受信する通信装置から取り出した通信用電力線を接続することを特徴とする。
【００１３】
請求項９の発明は、請求項８記載の電力量計の通信装置と前記電力量計もしくは前記第１の通信端子に接続された通信装置と前記第２の通信端子に接続された通信装置間で情報を伝送することを特徴とする。
【００１４】
請求項１０の発明は、前記情報は、前記電力量計部の有する計量データと計測した電流と計測した電圧と検出した停電情報あるいは第１の通信端子と第２の通信端子の間で伝送される不特定のデータまたはいずれかであることを特徴とする。
【発明の効果】
【００１５】
請求項１、２の発明によれば、電力量計以外に新たな装置を取り付ける必要はないので、別途ブロッキングフィルタを設置するための新たなスペース・工事が不要となる。
【００１６】
ブロッキングフィルタを備えた電力量計により、宅内の電力線通信信号と宅外の電力線通信信号を遮断できるため、宅内と宅外の電力線通信が他方の通信信号の干渉を受けず独立に動作することができ、通信品質を向上できる。
【００１７】
また、電力線には様々な負荷機器が接続されており、これらが発する雑音は電力線通信にとってはＳＮ比を劣化させる要因となる。この雑音に対しても、電力量計で遮断されるため、ＳＮ比の向上も期待できる。
【００１８】
また、電力線通信信号が他方へ伝搬しないことから、セキュリティの面でも安全に通信を行うことができるようになる。
【００１９】
請求項３の発明によれば、例えば、電力線通信装置を電力量計の電源側に接続し別の電力線通信装置を変圧器もしくは集合住宅の引込盤等に接続することによって、変圧器（もしくは集合住宅の引込盤等）から住宅までのアクセス系の伝送路として使用できる。また、例えば、電力線通信装置を電力量計の負荷側に接続し別の電力線通信装置を宅内に設置することによって、ホームセキュリティ等に使用できる電力量計設置箇所から宅内までの宅内系伝送路として使用できる。
【００２０】
請求項４、５の発明によれば、例えば、電力線通信装置を電力量計の電源側に接続し、電力会社（あるいは検針センター等）と例えば光回線等で接続された別の電力線通信装置を変圧器もしくは集合住宅の引込盤等に接続することによって、自動検針を行うことができる。
【００２１】
請求項６の発明によれば、自動検針に加えて、電流・電圧あるいは停電等の情報を収集することが可能となり、配電線の状態監視に活用することができる。
【００２２】
請求項７〜１０の発明によれば、例えば、電力量計の電源側に電力線通信装置を接続し、インターネット・ホームセキュリティ等のサービス会社と例えば光回線等で接続された電力線通信装置を変圧器もしくは集合住宅の引込盤等に接続し、電力量計の負荷側に電力線通信装置を接続し、宅内に電力線通信装置を設置することによって各種サービスを行うことができる。
【発明を実施するための最良の形態】
【００２３】
以下に図面を参照して、本発明を詳細に説明する。
【実施例１】
【００２４】
図１は本発明に係る、ブロッキングフィルタ部を内蔵した電力量計のブロック図である。
【００２５】
図１に示す電力量計１０は、電力量を計測・表示する電力量計部１１、ブロッキングフィルタ部１２、電源側電力線１５を接続する端子１３、負荷側電力線１６を接続する端子１４から構成される。
【００２６】
電源側電力線１５を接続する端子１３とブロッキングフィルタ部１２の電源側とが接続され、ブロッキングフィルタ部１２の負荷側と電力量計部１１および負荷側電力線１６を接続する端子１４とが接続される。
【００２７】
本実施例では、ブロッキングフィルタ部１２が電力量計１０の内部に組み込まれているので、電力量計以外に新たな装置を取り付ける必要ないので、取り付け工事が従来に比べて容易になる。
【実施例２】
【００２８】
図２は本発明に係る、ブロッキングフィルタ部を端子部に接続した電力量計のブロック図である。
【００２９】
図２の電力量計２０は、電力量を計測・表示する電力量計部２１、電源側電力線２８を接続する端子２２、及び負荷側電力線２９を接続する端子２３から構成される電力量計２０と、電力量計の電源側の端子２２（又は負荷側の端子２３）に接続するブロッキングフィルタ２６の端子２４、この端子２４に対して負荷側の端子２３（又は電源側の端子２２）に接続するブロッキングフィルタ２６の端子２５、及びブロッキングフィルタ２６から構成されるブロッキングフィルタ部と、さらに電力量計の端子２２、２３及びブロッキングフィルタ部２６を覆う端子カバー２７から構成される。
【００３０】
本実施例では、ブロッキングフィルタ部を電力量計の端子部に接続し、端子カバーで覆うだけなので、取り付け工事が簡単にできる。
【実施例３】
【００３１】
図３は本発明に係る電力量計３０の別形態のブロック図である。
【００３２】
電源側電力線３９を接続する端子３３とブロッキングフィルタ部３２の電源側とが接続され、ブロッキングフィルタ部３２の負荷側と電力量計部３１および負荷側電力線４０を接続する端子３４とが接続される。
【００３３】
電力量計３０の電源側電力線接続端子３３と負荷側電力線接続端子３４のどちらかもしくは両方に電力線通信装置３５、３７を接続する。電力線通信装置３５は配電用変圧器２次側や集合住宅の引込盤等電源側電力線に接続された電力線通信装置３６との通信を行うことができる。一方、ブロッキングフィルタ部３２を備えた電力量計の設置により、電力量計の負荷側に接続した電力線通信装置３７は住宅内等の負荷側電力線４０に接続された別の電力線通信装置３８との通信を行うことができるので、例えば、ホームセキュリティ等に使用できる電力量計設置箇所から宅内までの宅内系伝送路として使用できる。
【実施例４】
【００３４】
図４は本発明に係る電力量計５０の別形態のブロック図である。
【００３５】
電源側電力線６２を接続する端子５３とブロッキングフィルタ部５２の電源側とが接続され、ブロッキングフィルタ部５２の負荷側と電力量計部５１および負荷側電力線６３を接続する端子５４とが接続される。
【００３６】
電力量計５０と通信部１ ５５と通信端子１ ５６から構成され、通信部１ ５５は電力量計部５１および通信端子１ ５６と接続されており、電力量計５０と外部との情報の伝送を行うことができる。通信端子１ ５６に図３に示した電力線通信装置５７の電力線以外の通信線を接続することで、電力線通信装置５７は電力量計部５１との間で情報を伝送し、さらに電源側電力線６２に接続された電力線通信装置５８と電力線６２を伝送路として通信ネット６０により、例えば自動検針の情報を電力会社・検針センター６１に伝送することができる。
【００３７】
図５は本発明に係る電力量計７０で伝送する情報を示すブロック図である。
【００３８】
電源側電力線を接続する端子７３とブロッキングフィルタ部７２の電源側とが接続され、ブロッキングフィルタ部７２の負荷側と電力量計部７１および負荷側電力線を接続する端子７４とが接続される。
【００３９】
通信部１ ７５は電力量計部７１および通信端子１ ７９と接続されており、電力量計７０と外部との情報の伝送を行うことができる。電力量計で伝送する情報は、電力量計部７１の保有する計量データと電流計測部７８の計測した電流データと電圧計測部７７の計測した電圧データと停電検出部７６の検出した停電情報またはいずれかである。電流・電圧あるいは停電等の情報により、配電線の状態監視が可能となる。
【実施例５】
【００４０】
図６は本発明に係る電力量計８０の別形態のブロック図である。
【００４１】
電源側電力線８８を接続する端子８３とブロッキングフィルタ部８２の電源側とが接続され、ブロッキングフィルタ部８２の負荷側と電力量計部８１および負荷側電力線８９を接続する端子８４とが接続される。
【００４２】
電力量計と通信部２ ８５と通信端子１ ８６と通信端子２ ８７から構成され、通信部２ ８５は電力量計部８１および通信端子１ ８６、通信端子２ ８７と接続される。通信部２ ８５は電力量計部と外部との情報の伝送もしくは通信端子１ ８６と通信端子２ ８７間での情報の転送を行う。
【００４３】
さらに、電力量計８０の電源側電力線接続端子８３と負荷側電力線接続端子８４のどちらかもしくは両方に電力線通信装置９０、９２を接続する。電力線通信装置９０は配電用変圧器２次側や集合住宅の引込盤等の電源側電力線８８に接続された電力線通信装置９１との通信を行うことができる。一方、電力線通信装置９２は住宅内等の負荷側電力線８９に接続された電力線通信装置９３との通信を行うことができる。
【００４４】
さらに、通信端子１ ８６に電力線通信装置９０の電力線以外の通信線を接続することで、電力線通信装置９０は電力量計部８１との間で情報を伝送し、さらに電源側電力線に接続された電力線通信装置９１と電力線を伝送路として情報を伝送することができる。また、通信端子２ ８７に電力線通信装置９２の電力線以外の通信線を接続することで、電力線通信装置９０と電力線通信装置９０間で情報の転送を行うことができる。
【００４５】
図７は本発明に係る電力量計１００で伝送する情報を示すブロック図である。
【００４６】
電源側電力線を接続する端子１０３とブロッキングフィルタ部１０２の電源側とが接続され、ブロッキングフィルタ部１０２の負荷側と電力量計部１０１および負荷側電力線を接続する端子１０４とが接続される。
【００４７】
通信部２ １０５は電力量計部１０１および通信端子１  １０９及び通信端子２  １１０と接続されており、電力量計１００と外部との情報の伝送を行うことができる。電力量計で伝送する情報は、電力量計部１０１の保有する計量データと電流計測部１０８の計測した電流データと電圧計測部１０７の計測した電圧データと停電検出部１０６の検出した停電情報またはいずれかである。
【００４８】
電力量計の電源側に電力線通信装置を接続し、インターネット・ホームセキュリティ等のサービス会社と例えば光回線等で接続された電力線通信装置を変圧器もしくは集合住宅の引込盤等に接続し、電力量計の負荷側に電力線通信装置を接続することによって各種サービスを行うことができる。
【図面の簡単な説明】
【００４９】
【図１】本発明に係る、ブロッキングフィルタ部を内蔵した電力量計のブロック図である。
【図２】本発明に係る、ブロッキングフィルタ部を端子部に接続した電力量計のブロック図である。
【図３】本発明に係る電力量計３０の別形態のブロック図である。
【図４】本発明に係る電力量計５０の別形態のブロック図である。
【図５】本発明に係る電力量計７０で伝送する情報を示すブロック図である。
【図６】本発明に係る電力量計８０の別形態のブロック図である。
【図７】本発明に係る電力量計１００で伝送する情報を示すブロック図である。
【符号の説明】
【００５０】
１０：電力量計                      １１：電力量計部
１２：ブロッキングフィルタ部        １３：電源側電力線を接続する端子
１４：負荷側電力線を接続する端子  １５：電源側電力線
１６：負荷側電力線                  ２０：電力量計
２１：電力量計部                    ２２：電源側電力線を接続する端子
２３：負荷側電力線を接続する端子  ２４：ブロッキングフィルタの端子
２５：ブロッキングフィルタの端子    ２６：ブロッキングフィルタ
２７：端子カバー                    ２８：電源側電力線
２９：負荷側電力線                  ３０：電力量計
３１：電力量計部                    ３２：ブロッキングフィルタ部
３３：電源側電力線接続端子          ３４：負荷側電力線接続端子
３５〜３８：電力線通信装置          ３９：電源側電力線
４０：負荷側電力線                  ５０：電力量計
５１：電力量計部                    ５２：ブロッキングフィルタ部
５３：電源側電力線接続端子          ５４：負荷側電力線接続端子
５５：通信部１                      ５６：通信端子１
５７：電力線通信装置                ５８：電力線通信装置
５９：トランス引込盤                ６０：通信ネット
６１：電力会社・検針センター        ６２：電源側電力線
６３：負荷側電力線                  ７０：電力量計
７１：電力量計部                    ７２：ブロッキングフィルタ部
７３：電源側電力線接続端子          ７４：負荷側電力線接続端子
７５：通信部１                      ７６：停電検出部
７７：電圧計測部                    ７８：電流計測部
７９：通信端子１                    ８０：電力量計
８１：電力量計部                    ８２：ブロッキングフィルタ部
８３：電源側電力線接続端子          ８４：負荷側電力線接続端子
８５：通信部２                      ８６：通信端子１
８７：通信端子２                    ８８：電源側電力線
８９：負荷側電力線                  ９０〜９３：電力線通信装置
１００：電力量計                    １０１：電力量計部
１０２：ブロッキングフィルタ部      １０３：電源側電力線接続端子
１０４：負荷側電力線接続端子        １０５：通信部２
１０６：停電検出部                  １０７：電圧計測部
１０８：電流計測部                  １０９：通信端子１
１１０：通信端子２
【図１】
2009033880.tif 000003
【図２】
2009033880.tif 000004
【図３】
2009033880.tif 000005
【図４】
2009033880.tif 000006
【図５】
2009033880.tif 000007
【図６】
2009033880.tif 000008
【図７】
2009033880.tif 000009